(57)【特許請求の範囲】
【請求項１】
ソケット本体及び当該ソケット本体に設置されるソケット端子セットを有するソケットコネクタを含むハンドヘルドデバイス内に設置され、メモリーカード端子セットを有するメモリーカードが収納される着脱式アダプタであって、
前記メモリーカードを収納する収納槽を有するアダプタ本体と、
前記収納槽に設置される第一端子セットと、
前記アダプタ本体上に設置される第二端子セットと、
前記アダプタ本体上に設置される第三端子セットと
を含み、
前記メモリーカードが前記収納槽に収納されると、前記第一端子セットが前記メモリーカード端子セットに接触し、前記アダプタ本体が前記ソケット本体に実装されると、前記第二端子セットが前記ソケット端子セットに接触し、前記アダプタ本体が電子デバイスに挿入されると、前記第三端子セットが前記電子デバイスのデバイス端子セットに接触し、且つ前記電子デバイスが前記第三端子セットを介して前記メモリーカード内のデータを読み出し、
前記第二端子セットは前記アダプタ本体の第一面上に設置され、前記第三端子セットは前記第一面の反対側に位置する第二面上に設置され、前記第二端子セットと前記第三端子セットは前記アダプタ本体の両端に設置され、
前記ソケット本体は第一定位構造を更に有し、前記アダプタ本体は前記第一定位構造に対応する第二定位構造を更に有し、前記第一定位構造は前記ソケット本体の両側壁に設置され、前記第二定位構造は前記アダプタ本体の第一面の両側に設置され、前記第二定位構造は前記第一定位構造を嵌合し、前記第一定位構造に含まれる凸部は、前記第二定位構造に含まれる凹部内を移動する
ことを特徴とする着脱式アダプタ。
【請求項２】
前記アダプタ本体内に設置される第一変換回路を更に含み、前記第一端子セットと前記第三端子セットは前記第一変換回路に電気的に連結されることを特徴とする、請求項１に記載の着脱式アダプタ。
【請求項３】
前記アダプタ本体上に設置されるマイクロソケットコネクタと、
前記アダプタ本体内に設置され、前記マイクロソケットコネクタと前記第二端子セットに電気的に連結される第二変換回路と
を更に含むことを特徴とする、請求項１または請求項２に記載の着脱式アダプタ。
【請求項４】
前記第二端子セットと前記第三端子セットは前記アダプタ本体の表面上に設置され、前記第二端子セットと前記第三端子セットは前記アダプタ本体の一端に設置されることを特徴とする、請求項１から請求項３のいずれか１つに記載の着脱式アダプタ。
【請求項５】
メモリーカード端子セットを有するメモリーカードが収納されるハンドヘルドデバイスであって、
第一収納槽を有するデバイス本体と、
前記第一収納槽内に設置され、ソケット本体及び当該ソケット本体に設置されるソケット端子セットを有するソケットコネクタと、
前記メモリーカードを収納する第二収納槽を有するアダプタ本体、前記第二収納槽内に設置される第一端子セット、前記アダプタ本体上に設置される第二端子セット、及び前記アダプタ本体上に設置される第三端子セットを含む着脱式アダプタと
を含み、
前記メモリーカードが前記第二収納槽に収納されると、前記第一端子セットが前記メモリーカード端子セットに接触し、前記アダプタ本体が前記ソケット本体に実装されると、前記第二端子セットが前記ソケット端子セットに接触し、前記アダプタ本体が電子デバイスに挿入されると、前記第三端子セットが前記電子デバイスのデバイス端子セットに接触し、且つ前記電子デバイスが前記第三端子セットを介して前記メモリーカード内のデータを読み出し、
前記第二端子セットは前記アダプタ本体の第一面上に設置され、前記第三端子セットは前記第一面の反対側に位置する第二面上に設置され、前記第二端子セットと前記第三端子セットは前記アダプタ本体の両端に設置され、前記ソケット本体は第一定位構造を更に有し、前記アダプタ本体は前記第一定位構造に対応する第二定位構造を更に有し、前記第一定位構造は前記ソケット本体の両側壁に設置され、前記第二定位構造は前記アダプタ本体の第一面の両側に設置され、前記第二定位構造は前記第一定位構造を嵌合し、前記第一定位構造に含まれる凸部は、前記第二定位構造に含まれる凹部内を移動する
ことを特徴とするハンドヘルドデバイス。
【請求項６】
前記着脱式アダプタは、前記アダプタ本体内に設置される第一変換回路を更に含み、前記第一端子セットと前記第三端子セットは前記第一変換回路に電気的に連結されていることを特徴とする、請求項５に記載のハンドヘルドデバイス。
【請求項７】
前記着脱式アダプタは、
前記アダプタ本体上に設置されるマイクロソケットコネクタと、
前記アダプタ本体内に設置され、前記マイクロソケットコネクタと前記第二端子セットに電気的に連結される第二変換回路と
を更に含むことを特徴とする、請求項５または請求項６に記載のハンドヘルドデバイス。
【請求項８】
前記第二端子セットと前記第三端子セットは前記アダプタ本体の表面上に設置され、前記第二端子セットと前記第三端子セットは前記アダプタ本体の一端に設置されることを特徴とする、請求項５から請求項７のいずれか１つに記載のハンドヘルドデバイス。
【請求項９】
前記第一収納槽の一端は前記デバイス本体の側面に連通され、前記アダプタ本体が前記ソケット本体に実装されると、前記アダプタ本体の一端が前記側面と水平になることを特徴とする、請求項５から請求項８のいずれか１つに記載のハンドヘルドデバイス。
【発明の詳細な説明】
【技術分野】
【０００１】
この発明は、アダプタとハンドヘルドデバイスに関し、特に、着脱式アダプタとそれを用いたハンドヘルドデバイスに関する。
【背景技術】
【０００２】
ハンドヘルドデバイスとは、ユーザーがこれを持ち運び使用することを可能とする電子デバイスを指す。通常、ハンドヘルドデバイスは、ユーザーがこれを持ち運ぶことができるよう、小さく軽量である。典型的なハンドヘルドデバイスには、携帯電話、マルチメディアプレーヤー、タブレットパソコン、ハンドヘルドゲーム機やハンドヘルドＧＰＳナビゲータが含まれる。
【０００３】
携帯電話を例にとると、現在の携帯電話の多くはその内部にデータストレージデバイスとしてのメモリーカードを備えている。携帯電話内部のメモリー内のデータを読み取りたい場合、トランスミッションケーブルを使用して携帯電話をコンピュータに接続するか、メモリーカードを収納するカードリーダーを挿入してコンピュータに接続するか、ワイヤレストランスミッション（例えば、ブルートゥース）を介して、メモリーカード内のデータにアクセスすることができる。しかしながら、トランスミッションケーブル、カードリーダーまたはワイアレストランスミッションが使用できない場合、メモリーカード内のデータを読取ることができない。
【発明の概要】
【発明が解決しようとする課題】
【０００４】
この発明は、メモリーカードを収納するのに適する着脱式アダプタを開示する。また、この発明の着脱式アダプタは、ハンドヘルドデバイスまたは電子デバイスに接続して、着脱式アダプタ内に収納されたメモリーカード内のデータを読取ることができる。
【０００５】
また、この発明は、着脱式アダプタを含むハンドヘルドデバイスを開示する。ハンドヘルドデバイスから取り外された着脱式アダプタは、電子デバイスに接続して着脱式アダプタに収納されたメモリーカード内のデータを読取るのに適する。
【課題を解決するための手段】
【０００６】
この発明は、ハンドヘルドデバイス内に設置するのに適し、メモリーカードを収納するのに適する着脱式アダプタを提供する。ハンドヘルドデバイスはソケットコネクタを含む。メモリーカードはメモリカード端子セットを有する。ソケットコネクタは、ソケット本体と、ソケット本体に設置されるソケット端子セットを有する。着脱式アダプタは、アダプタ本体、第一端子セット、第二端子セット及び第三端子セットを含む。アダプタ本体は、メモリーカードを収納する収納槽を有する。第一端子セットは、収納槽内に設置されている。第二端子セットと第三端子セットは、アダプタ本体上に設置されている。メモリーカードが収納槽内に収納されると、第一端子セットはメモリーカード端子セットに接触する。アダプタ本体がソケット本体に実装されると、第二端子はソケット端子セットに接触する。アダプタ本体が電子デバイス内部に挿入されると、第三端子セットは電子デバイスのデバイス端子セットに接触する。
【０００７】
この発明は、メモリーカードを収納するのに適したハンドヘルドデバイスを提供する。メモリーカードはメモリカード端子セットを有する。ハンドヘルドデバイスは、デバイス本体、ソケットコネクタ及び着脱式アダプタを含む。デバイス本体は第一収納槽を有する。ソケットコネクタは第一収納槽内に設置されている。ソケットコネクタは、ソケット本体と、ソケット本体に設置されるソケット端子セットを有する。着脱式アダプタは、アダプタ本体、第一端子セット、第二端子セット及び第三端子セットを含む。アダプタ本体は、メモリーカードを収納する第二収納槽を有する。第一端子セットは第二収納槽に設置されている。第二端子セット及び第三端子セットはアダプタ本体上に設置されている。メモリーカードが第二収納槽内に収納されると、第一端子セットはメモリーカード端子セットに接触する。アダプタ本体がソケット本体に実装されると、第二端子セットはソケット端子セットに接触する。アダプタ本体が電子デバイスに挿入されると、第三端子セットは電子デバイスのデバイス端子セットに接触する。
【発明の効果】
【０００８】
前記の説明に基づき、この発明が開示する着脱式アダプタは、メモリーカードを収納するのに適し、ハンドヘルドデバイスに適する。このようにして、ユーザーは、トランスミッションケーブル、カードリーダーまたはワイアレストランスミッションを別途使用することなく、ハンドヘルドデバイスから取り外された着脱式アダプタを電子デバイスに接続して、着脱式アダプタ内に収納されたメモリーカード内のデータを読取ることができる。
【０００９】
この発明の上記の特徴及び長所をさらに明確かつ分かりやすくするため、以下、実施形態を挙げるとともに、図面を添付して詳細に説明する。
【図面の簡単な説明】
【００１０】
【図１】図１は、この発明の実施形態に基づくハンドヘルドデバイスの立体図である。
【図２】図２は、図１で示されるソケットコネクタ及び着脱式アダプタの分解図である。
【図３】図３は、図１で示される着脱式アダプタ及びメモリーカードの分解図である。
【図４】図４は、図１で示されるハンドヘルドデバイスの回路ブロック図である。
【図５】図５は、図1のデバイス本体及び保護カバー実装後の立体図である。
【図６Ａ】図６Ａは、この発明の別の実施形態に基づく、ソケットコネクタ及び着脱式アダプタの分解図である。
【図６Ｂ】図６Ｂは、図６Ａのソケットコネクタ及び着脱式アダプタを別の角度から見た分解図である。
【図７】図７は、図６Ａの着脱式アダプタ及びメモリーカードの分解図である。
【発明を実施するための形態】
【００１１】
図１は、この発明の実施形態に基づくハンドヘルドデバイスの立体図である。図２は、図１で示されるソケットコネクタ及び着脱式アダプタの分解図である。図３は、図１で示される着脱式アダプタ及びメモリーカードの分解図である。図１、図２、図３を参照すると、この実施形態において、ハンドヘルドデバイス１００はメモリーカード１０を収納するのに適している。ハンドヘルドデバイス１００は、例えば、携帯電話、タブレットパソコン、ハンドヘルドゲーム機であることができる。この発明の実施形態において、ハンドヘルドデバイス１００は携帯電話を例にとって説明している。メモリーカード１０はメモリーカード端子セット１２を有している。
【００１２】
ハンドヘルドデバイス１００はデバイス本体１１０、ソケットコネクタ１２０、及び着脱式アダプタ１３０を含む。デバイス本体１１０は、第一収納槽１１０ａを含む。ソケットコネクタ１２０は第一収納槽１１０ａに設置され、ソケット本体１２２と、ソケット本体１２２に設置されたソケット端子セット１２４を有する。
【００１３】
着脱式アダプタ１３０は、アダプタ本体１３２、第一端子セット１３４、第二端子セット１３５、及び第三端子セット１３６を含む。アダプタ本体１３２は、メモリーカード１０を収納する第二収納槽１３２ａを有する。第一端子セット１３４は第二収納槽１３２ａ内に設置されている。第二端子セット１３５と第三端子セット１３６はアダプタ本体１３２上に設置されている。
【００１４】
メモリーカード１０が第二収納槽１３２ａに収納されると、第一端子セット１３４はメモリーカード端子セット１２に接触する。アダプタ本体１３２がソケット本体１２２に実装されると、第二端子セット１３５はソケット端子セット１２４に接触する。この実施形態において、第一端子セット１３４はマイクロセキュアデジタル（Micro secure digital、Micro-SD）端子セットであることができ、第二端子セット１３５もMicro-SD端子セットであることができる。
【００１５】
アダプタ本体１３２が電子デバイス２０に挿入されると（図４参照）、第三端子セット１３６は電子デバイス２０のデバイス端子セット２２に接触する。電子デバイス２０は、例えば、デスクトップ型コンピュータまたはノートブック型コンピュータである。この実施形態において、第三端子セット１３６はユニバーサル・シリアル・バス（Universal Serial Bus、ＵＳＢ）であることができる。
【００１６】
とりわけ、電子デバイス２０を使用してハンドヘルドデバイス１００内部のメモリーカード１０内のデータを読み取りたい場合、ユーザーは、ソケット本体１２２からアダプタ本体１３２を取り外して、アダプタ本体１３２を電子デバイス２０内部に挿入し、第三端子セット１３６をデバイス端子セット２２に接触させ、メモリーカード１０を電子デバイス２０に電気的に接続させる必要がある。
【００１７】
言い換えると、着脱式アダプタ１３０がメモリーカード１０を収納し、電子デバイス２０に実装されると、着脱式アダプタ１３０は従来のカードリーダーとしての機能を提供できる。一方で、着脱式アダプタ１３０がメモリーカード１０を収納し、ハンドヘルドデバイス１００内部に設置されると、着脱式アダプタ１３０は従来のメモリーカードコネクタとしての機能を提供できる。このようにして、ユーザーは、トランスミッションケーブル、カードリーダーまたはワイアレストランスミッションを別途使用することなく、メモリーカード１０内のデータを便利に読取ることができる。
【００１８】
図４は、図１で示されるハンドヘルドデバイスの回路ブロック図である。図４を参照すると、着脱式アダプタ１３０は第一変換回路１３８ａを更に含む。第一変換回路１３８ａは、アダプタ本体１３２内部に設置され（図２参照）、第一端子セット１３４と第三端子セット１３６は第一変換回路１３８ａに電気的に連結される。第一端子セット１３４はMicro-SD端子セットであり、第三端子セット１３６はＵＳＢ端子セットである。このようにして、異なる規格を有する２つの端子セット（即ち、第一端子セット１３４と第三端子セット１３６）は第一変換回路１３８ａに電気的に連結され、信号変換を行うことができる。
【００１９】
さらに、図１、図３及び図４を参照すると、着脱式アダプタ１３０は第二変換回路１３８ｂ及びマイクロソケットコネクタ１３９を更に含む。マイクロソケットコネクタ１３９はアダプタ本体１３２上に設置される。第二変換回路１３８ｂはアダプタ本体１３２内部に設置され、第二変換回路１３８ｂはマイクロソケットコネクタ１３９と第二端子セット１３５に電気的に連結され、信号変換を行う。マイクロソケットコネクタ１３９はマイクロ・ユニバーサル・シリアス・バス（micro universal serial bus、Micro-USB)ソケットである。
【００２０】
とりわけ、メモリーカード端子セット１２が第一端子セット１３４に接触し、アダプタ本体１３２がソケット１２２に実装される場合（図２参照）、ユーザーは、その一端にマイクロプラグコネクタ３２（例えば、Micro-USBプラグ）を有するトランスミッションケーブル３０をマイクロソケットコネクタ１３９に差し込み、トランスミッションケーブル３０のもう一端を電子デバイス２０に接続することができる。このようにして、ユーザーは、なおもトランスミッションケーブル３０と電子デバイス２０を利用して、ハンドヘルドデバイス１００内部のメモリーカード１０内のデータを読取ることができる。さらに、着脱式アダプタ１３０の第二端子セット１３５とマイクロソケットコネクタ１３９の端子セット（描かれていない）は、第二変換回路１３８ｂの電気的連結により、異なる規格の２つの端子セットを電気的に連結することができる。
【００２１】
図５は、図1のデバイス本体及び保護カバー実装後の立体図である。図１及び図５を参照すると、第一収納槽１１０ａの一端は、デバイス本体１１０の側面１１０ｂに連通される。アダプタ本体１３２がソケット本体１２２に実装されると、アダプタ本体１３２の一端はデバイス本体１１０の側面１１０ｂと水平になる。このようにして、着脱式アダプタ１３０はデバイス本体１１０の側面１１０ｂに対して突出構造を有さず、これによって、ユーザーがハンドヘルドデバイス１１０を使用する際に怪我をするリスクを回避することができる。さらに、ハンドヘルドデバイス１００は、保護カバー１４０を含むことができる。保護カバー１４０は、デバイス本体１１０の側面１１０ｂに面する開口１４０ａを有する。保護カバー１４０がデバイス本体１１０に実装されると、保護カバー１４０の開口１４０ａは着脱式アダプタ１３０の一部を露出する。したがって、ユーザーは保護カバー１４０の開口１４０ａを介して、トランスミッションケーブルをソケットコネクタ１３９に接続することができる。
【００２２】
図６Ａは、この発明の別の実施形態に基づく、ソケットコネクタ及び着脱式アダプタの分解図である。図６Ｂは、図６Ａのソケットコネクタ及び着脱式アダプタを別の角度から見た分解図である。図２、図６Ａ及び図６Ｂを参照すると、この実施例におけるソケットコネクタ２２０及び着脱式アダプタ２３０は図２のソケットコネクタ１２０及び着脱式アダプタ１３０に類似しており、ここでは、その差異のみを説明する。同一の符号は同一の部材を代表するので、ここでは説明しない。図２において、第三端子セット１３６と第二端子セット１３５はアダプタ本体１３２の表面Ｓ上に設置されており、第三端子セット１３６と第二端子セット１３５は互いに隣接し、且つアダプタ本体１３２の一端に設置されている。図６において、第二端子セット１３５はアダプタ本体２３２の第一面Ｓ１上に設置され、第三端子セット１３６は第一面Ｓ１の反対側に位置する第二面Ｓ２上に設置され、第二端子セット１３５と第三端子セット１３６は互いに離れ、アダプタ本体２３２の両端に設置されている。
【００２３】
ソケット本体２２２は第一定位構造２２２ａをさらに有し、アダプタ本体２３２は第一定位構造２２２ａに対応する第二定位構造２３２ｂをさらに有している。第一定位構造２２２ａはソケット本体２２２の２つの側壁２２２ｂ上に設置され、第二定位構造２３２ｂはアダプタ本体２３２の第一面Ｓ１の両側に設置されている。第二定位構造２３２ｂは第一定位構造２２２ａを嵌合するために使用される。とりわけ、第一定位構造２２２ａは凸部２２２ｃを含み、第二定位構造２３２ｂは凹部２３２ｃを含み、各凸部２２２ｃは対応する凹部２３２ｃ内を移動するのに適している。この設置は、着脱式アダプタ２３０をソケットコネクタ２２０に定位させるために使用することができる。
【００２４】
図７は、図６Ａの着脱式アダプタ及びメモリーカードの分解図である。図６Ａ及び図７を参照すると、この実施形態において、着脱式アダプタ２３０はアダプタ本体２３２に中枢的に接続されるピボットカバー２３４を含む。メモリーカード１０が第二収納槽２３２ａに収納されると、ピボットカバー２３４は、アダプタ本体２３２に対して枢動閉合し、メモリーカード１０をアダプタ本体２３２の第二収納槽３３２ａ内に収納することができる。
【００２５】
前記をまとめ、この発明における着脱式アダプタはメモリーカードを収納することができ、ハンドヘルドデバイス内に設置したり、別の電子デバイスに実装するのに適している。このように、着脱式アダプタが別の電子デバイスに実装されると、着脱式アダプタはカードリーダーとして機能することができる。したがって、ユーザーは、トランスミッションケーブル、カードリーダーまたはワイアレストランスミッションを別途使用することなく、ハンドヘルドデバイスから取り外された着脱式アダプタを電子デバイスに接続して、着脱式アダプタ内に収納されたメモリーカード内のデータを読取ることができる。
【００２６】
以上のように、この発明を実施形態により開示したが、もとより、この発明を限定するためのものではなく、当業者であれば、この発明の技術思想の範囲内において、適当な変更ならびに修正が当然なされうるものであるから、この発明の保護の範囲は、特許請求の範囲、及びそれと均等な領域を基準として定めなければならない。
【符号の説明】
【００２７】
１０  メモリーカード
１２  メモリーカード端子セット
２０  電子デバイス
２２  デバイス端子セット
３０  トランスミッションケーブル
３２  マイクロプラグコネクタ
１００  ハンドヘルドデバイス
１１０  デバイス本体
１１０ａ  第一収納槽
１１０ｂ  側面
１２０、２２０  ソケットコネクタ
１２２、２２２  ソケット本体
１２４  ソケット端子セット
１３０、２３０  着脱式アダプタ
１３２、２３２  アダプタ本体
１３２ａ、２３２ａ  第二収納槽
１３４  第一端子セット
１３５  第二端子セット
１３６  第三端子セット
１３８ａ  第一変換回路
１３８ｂ  第二変換回路
１３９  マイクロソケットコネクタ
１４０  保護カバー
１４０ａ  開口
２２２ａ  第一定位構造
２２２ｂ  側壁
２２２ｃ  凸部
２３２ｂ  第二定位構造
２３２ｃ  凹部
２３４  ピボットカバー
Ｐ  導引槽
Ｓ  表面
Ｓ１  第一面
Ｓ２  第二面
【図１】
0005761530.tif 000002
【図２】
0005761530.tif 000003
【図３】
0005761530.tif 000004
【図４】
0005761530.tif 000005
【図５】
0005761530.tif 000006
【図６Ａ】
0005761530.tif 000007
【図６Ｂ】
0005761530.tif 000008
【図７】
0005761530.tif 000009